(57)【要約】【課題】再生する光ディスクの変更時に、光ディスク毎の音量基準値の違いに起因する予期せぬ大音量の出力を防止することが可能なテレビジョン装置を提供する。【解決手段】奔発明のテレビジョン装置は、画像再生部により生成される画像の確認を行い、予め定められた所定の画像であるかどうかを判定する画像検知部を備えている。また、音声信号出力部により設定されている出力音量が予め定められた閾値を越えるかどうかを判定する音量判定部を備えている。画像検知部により予め定められた所定の画像が検知された場合、音量判定部が出力音量の判定を行う。判定の結果、出力音量が閾値を超える場合に、出力音量をあらかじめ定められた所定値、たとえば最大値と最小値の中間値等に設定する。これにより、出力音量の設定値が極端に大きい場合において、音量を適切なレベルに変更する。【選択図】図１
2008294906.tif 000002
【特許請求の範囲】
【請求項１】
スピーカの出力音量を設定する音量設定手段と、
画像信号及び音声信号を入力する入力手段と、
前記入力手段により入力した画像信号を再生する画像再生手段と、
を備えたテレビジョン装置であって、
前記画像再生手段により得られた画像が所定の画像と一致するかどうかを判定する画像検知手段と、
前記音量設定手段により設定されている出力音量が所定の閾値を越えるかどうかを判定する音量判定手段と、
を備え、
前記画像検知手段により所定の画像が検知された際に、前記音量判定手段により前記出力音量が前記閾値を越えるかどうかを判定し、前記閾値を越えると判定された場合に、前記出力音量を所定値に変更すること
を特徴とするテレビジョン装置。
【請求項２】
光ディスクを再生する光ディスク再生手段と、
前記光ディスク再生手段から光ディスクが排出されたことを検知する光ディスク検知手段と、
を備えたテレビジョン装置であって、
前記光ディスク検知手段により光ディスクの排出が検知された際に、前記音量判定手段により前記出力音量が前記閾値を越えるかどうかを判定し、前記閾値を越えると判定された場合に、前記出力音量を所定値に変更すること
を特徴とする請求項１に記載のテレビジョン装置。
【請求項３】
前記所定の画像として、前記入力手段に接続された外部装置より入力される光ディスク排出時画像、或いは特定の単一色画像を用いること
を特徴とする請求項１または請求項２に記載のテレビジョン装置。
【請求項４】
画像の指定を受け付ける画像指定手段と、
前記画像指定手段により受け付けた画像を指定画像として記録する記録手段と、
を備え、
前記所定の画像として、前記記録手段に記録されている指定画像を用いること
を特徴とする請求項１〜請求項３のいずれかに記載のテレビジョン装置。
【発明の詳細な説明】
【技術分野】
【０００１】
本発明は、テレビジョン装置に関するものであり、特に再生する光ディスクが変更された場合に出力音量が過度に大きくなることを防止することを可能としたテレビジョン装置に関する。
【背景技術】
【０００２】
近年、再生装置の多機能化、多様化により、様々な再生装置をテレビジョン装置に接続して画像や音声の再生を行うことが可能となっている。また、再生装置とテレビジョン装置とを一体化した再生複合機も多数存在する。
【０００３】
上記のような再生装置が用いる記録媒体として、ＤＶＤメディアやＢＤ−Ｒメディア等の光ディスクが広く普及している。しかしながら光ディスクに記録されている音声の音量は、光ディスク毎にその基準値が異なる。従って音量基準値が極端に小さい光ディスクを再生する場合、ユーザはテレビジョン装置の出力音量を大きくすることによって調整を行う必要があった。
【０００４】
しかしながら上記のように音量基準値が極端に小さい光ディスクを再生した後、テレビジョン装置の出力音量を変えず、音量基準値が大きい光ディスクに交換したとする。この場合、再生開始時にユーザの予期しない大音量がテレビジョン装置より出力される可能性がある。これは例えば、集合住宅などの人口が密集した環境や、騒音の少ない深夜等の状況において、付近住民に迷惑をかける可能性があるという問題があった。
【０００５】
上記に関連して特許文献１においては、ＣＤ等を交換するたびに特定の音量・音質が自動的に得られる音量・音質の自動設定装置が開示されている。この自動設定装置は、音声信号記録媒体に記録された音楽信号以外のサブコード情報と、音声信号記録媒体ごとに設定された特定の音量・音質設定情報とを制御部に入力する。そして制御部は、前記サブコード情報と前記音量・音質設定情報とを関連づけてメモリに書き込む。そして再生時に、音声信号記録媒体から読みだされたサブコード情報に関連づけられている音量・音質設定情報をメモリから読み出し、その音量・音質にて再生する。
【０００６】
また上記に関連して特許文献２においては、深夜のチューナ／外部入力切り替え時に適正な音量を設定することが可能なテレビジョン受像器が開示されている。このテレビジョン受像器は、現在時刻が予め定められた時刻の範囲内で、かつチューナ選択状態から外部入力状態に切り替えられた際に、アンプのゲインを予め定められた量だけ下げる。また、外部入力状態からチューナ選択状態に切り替えられた際に、アンプのゲインを予め定められた量だけ上げる。
【０００７】
また上記に関連して特許文献３においては、予め設定された時刻になったときに映像の明るさおよび音量を自動的に減少させることができるテレビジョン受像機が開示されている。このテレビジョン受像機は、映像の明るさおよび音量を一定量だけ減少させる時刻をあらかじめ設定可能である。そして設定時刻になったときに、映像の明るさ及び音量を所定量を所定量だけ減少させる。
【特許文献１】特開平７−２９６５１１号公報
【特許文献２】特開平４−２１２５７８号公報
【特許文献３】特開２００６−３４０２４９号公報
【発明の開示】
【発明が解決しようとする課題】
【０００８】
しかしながら、上記特許文献１においては、ユーザがあらかじめ光ディスク単位で音量・音質設定情報を設定して記録しておく必要があるため、ユーザにとって手間がかかるという問題があった。また、サブコード情報と音量・音質設定情報とを関連付けた情報を記録する必要があるため、光ディスクの種別が増加するのにつれ必要となる記録容量も増加するという問題があった。また、サブコード情報をもつ音楽信号記録媒体に対してのみ実施可能であるため、それ以外の規格の光ディスク、例えばＤＶＤメディア等においては音量調整ができないという問題があった。
【０００９】
また上記特許文献２及び特許文献３においては、時刻の変化に応じて音量を自動的に調整する機能については開示されているが、再生対象の光ディスクがユーザ交換等により変更された場合に音量を調整する機能については開示も示唆もなされていない。
【００１０】
本発明は、上記の問題を鑑みてなされたものであり、テレビジョン装置が内蔵する光ディスク再生装置、或いは外部接続された光ディスク再生装置の再生対象が変更された場合に、光ディスク毎の音量基準値の違いに起因する予期せぬ大音量の出力を防止することが可能であり、且つ複雑な装置構成及び処理を必要とせず、且つ光ディスク全般に対して実施可能である音量調整機能を備えたテレビジョン装置を提供することを目的とする。
【課題を解決するための手段】
【００１１】
上記目的を達成するために本発明のテレビジョン装置は、スピーカの出力音量を設定する音量設定手段と、画像信号及び音声信号を入力する入力手段と、前記入力手段により入力した画像信号を再生する画像再生手段とを備えたテレビジョン装置であって、前記画像再生手段により得られた画像が所定の画像と一致するかどうかを判定する画像検知手段と、前記音量設定手段により設定されている出力音量が所定の閾値を越えるかどうかを判定する音量判定手段とを備え、前記画像検知手段により所定の画像が検知された際に、前記音量判定手段により前記出力音量が前記閾値を越えるかどうかを判定し、前記閾値を越えると判定された場合に、前記出力音量を所定値に変更することを特徴としている。
【００１２】
これによると、本発明のテレビジョン装置は、出力音量を調整した音声信号をスピーカへ出力する音声信号出力部（＝音量設定手段の一部）と、ＤＶＤプレーヤ等の外部再生装置を接続して情報の入力を行う外部入力部（＝入力手段）と、画像信号から画像を生成する画像再生部（＝画像再生手段）とを備えている。また、画像再生部により生成される画像の確認を行い、予め定められた所定の画像であるかどうかを判定する画像検知部（＝画像検知手段）を備えている。また、音声信号出力部により設定されている出力音量が予め定められた閾値を越えるかどうかを判定する音量判定部（＝音量判定手段）を備えている。
【００１３】
画像検知部により予め定められた所定の画像が検知された場合、音量判定部が出力音量の判定を行う。判定の結果、出力音量が閾値を超える場合に、出力音量をあらかじめ定められた所定値、たとえば最大値と最小値の中間値等に設定する。これにより、出力音量の設定値が極端に大きい場合において、音量を適切なレベルに変更することが可能である。
【００１４】
また、上記目的を達成するために本発明のテレビジョン装置は、光ディスクを再生する光ディスク再生手段と、前記光ディスク再生手段から光ディスクが排出されたことを検知する光ディスク検知手段とを備えたテレビジョン装置であって、前記光ディスク検知手段により光ディスクの排出が検知された際に、前記音量判定手段により前記出力音量が前記閾値を越えるかどうかを判定し、前記閾値を越えると判定された場合に、前記出力音量を所定値に変更することを特徴としている。
【００１５】
これによると、本発明のテレビジョン装置は、光ディスクを再生する光ディスクドライブ（＝光ディスク再生手段）と、光ディスクドライブから光ディスクが排出されたことを検知する光ディスク検知部（＝光ディスク検知手段）とを備えている。光ディスク検知部により光ディスクの排出が検知された際に、音量判定部が出力音量の判定を行う。判定の結果、出力音量が閾値を超える場合に、出力音量をあらかじめ定められた所定値、たとえば最大値と最小値の中間値等に設定する。これにより、出力音量の設定値が極端に大きい場合において、音量を適切なレベルに変更することが可能である。
【００１６】
また、上記目的を達成するために本発明のテレビジョン装置は、前記所定の画像として、前記入力手段に接続された外部装置より入力される光ディスク排出時画像、或いは特定の単一色画像を用いることを特徴としている。
【００１７】
これによると、本発明のテレビジョン装置は、画像検知部が検知する所定の画像として、光ディスク排出時に表示されるメーカーロゴ等の光ディスク排出時画像、或いはブルーバック画像等の単一色画像を用いる。このため、光ディスクドライブが外部接続されている場合にであっても、光ディスクの排出が行われたことをこれらの画像を用いて検知することが可能である。
【００１８】
また、上記目的を達成するために本発明のテレビジョン装置は、画像の指定を受け付ける画像指定手段と、前記画像指定手段により受け付けた画像を指定画像として記録する記録手段とを備え、前記所定の画像として、前記記録手段に記録されている指定画像を用いることを特徴としている。
【００１９】
これによると、本発明のテレビジョン装置は、光ディスク排出時に表示される画像の指定をユーザから受け付ける画像指定部（＝画像指定手段）と、画像指定部により受け付けた画像を光ディスク排出時画像（＝指定画像）として記録する記録部（＝記録手段）とを備えている。そして画像検知部が検知する所定の画像として、ユーザ指定された光ディスク排出時画像を用いる。これにより、外部接続された光ディスクドライブが光ディスク排出時に予め定められたメーカーロゴやブルーバック画像等を出力しない場合であっても、予めユーザが指定しておくことにより、光ディスクの排出を検知することが可能である。
【発明の効果】
【００２０】
本発明によれば、画像検知部により予め定められた所定の画像が検知された場合に、音量判定部が出力音量の判定を行い、出力音量が閾値を超える場合に、出力音量をあらかじめ定められた値に調整する。このため、音量の小さい光ディスクを出力音量を上げて再生した後、そのままの状態で音量の大きい光ディスクに交換して再生した場合であっても、再生開始時にユーザの予期しない大音量が出力されるのを防止することができる。
【００２１】
また本発明によれば、テレビジョン装置が内蔵する光ディスクドライブから光ディスクが排出されたことを検知した際に、音量判定部が出力音量の判定を行い、出力音量が閾値を超える場合に、出力音量をあらかじめ定められた所定値に調整する。このため、光ディスクの交換時に、ユーザの予期しない大音量が出力されるのを防止することができる。また、光ディスク排出の検知を容易かつ確実に行うことが可能である。
【００２２】
また本発明によれば、メーカーロゴ画像や、ブルーバック画像等の単一色画像の検知により、光ディスクドライブから光ディスクが排出されたことを検知する。このため、光ディスク装置が外部接続されており、その動作状態を確認することが出来ない場合であっても、排出検知用の新たな部材を設けることなく、光ディスクドライブの開閉状態を認識して音量調整処理を行うことが可能である。
【００２３】
また本発明によれば、光ディスクの排出時に表示される画像の指定をユーザから受け付け、メモリ等の記録部に記録しておく。このため、光ディスク排出時にメーカーロゴや単一色画像以外の画像を出力する光ディスクドライブが外部接続されている場合であっても、光ディスクの排出を検知して音量調整処理を行うことが可能であり、処理の汎用性を高めることができる。
【発明を実施するための最良の形態】
【００２４】
以下に本発明の実施形態を、図面を参照しながら説明する。なお、ここで示す実施形態は一例であり、本発明はここに示す実施形態に限定されるものではない。
【００２５】
［実施の形態１］
〈１−１．内部構成について〉
図２は、本発明の第一の実施形態に係るテレビジョン装置１を示す構成図である。なお、図２における矢印線はデータの流れを示している。また、矢印のない直線は、制御部１１が各装置に対する制御信号等を送受信するための通信バスを示している。テレビジョン装置１は少なくとも、制御部１１、メモリ１２（＝記録手段）、操作部１３、放送受信部１４、外部入力部１５（＝入力手段）、Ａ／Ｄ変換部１６、信号分離部１７、Ｄ／Ａ変換部１８、音声信号出力部１９（＝音量設定手段の一部）、スピーカ２０、画像再生部２１（＝画像再生手段）、画像信号出力部２２、及びディスプレイ２３を含むように構成されている。
【００２６】
制御部１１は、テレビジョン装置１の各部材の駆動を制御することにより、テレビ放送の受信や、受信したテレビ放送の表示処理等を統括制御するためのものである。制御部１１は例えば、複数のマイクロプロセッサから構成されている。また制御部１１は、各装置の制御やデータの計算、加工処理等を行なう中枢部分となっている。なお、制御部１１が備える各機能部（画像検知部１１ａ〜画像指定部１１ｄ）の詳細については後述する。
【００２７】
メモリ１２は、テレビジョン装置１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００２８】
操作部１３は、ユーザが番組の視聴等を行うための各種指示をテレビジョン装置１に対して行うためのものである。操作部１３により出力された指示は、制御部１１により受け付けられる。指示を受け付けた制御部１１は、指示の内容に基づいて選局処理や音量調整処理等を行う。
【００２９】
放送受信部１４は、外部のアンテナ（不図示）に接続されてデジタル放送、或いはアナログ放送の選局、受信、周波数変換、増幅、復調等を行う。これにより受信した放送信号より、画像信号、或いは音声信号等が得られる。テレビ放送受信機１３は、アナログ方式であればアナログチューナ、映像中間周波増幅回路、復調回路、及び増幅回路等を含むように構成されている。またデジタル方式であれば、デジタルチューナ、誤り訂正部、多重分離部等を含むように構成されている。
【００３０】
外部入力部１５は、例えばコンポジット信号を入力するＲＣＡ入力端子やＳ信号を入力するＳ端子等の、複数の外部入力端子からなる入力インタフェースである。外部入力部１５はこれらの外部接続端子を用いて、テレビジョン装置１と外部の記録再生装置、例えばＤＶＤプレーヤやＨＤＤレコーダ等を接続し、画像信号及び音声信号を入力する。
【００３１】
Ａ／Ｄ（Analog／Digital）変換部１６は、放送受信部１４及び外部入力部１５から入力された信号がコンポジット信号等のアナログ信号である場合に、デジタル信号に変換する。なお、入力された信号がデジタル信号である場合は変換を行わず、入力した信号をそのまま次の信号分離部１７に出力する。
【００３２】
信号分離部１７は、Ａ／Ｄ変換部１６より与えられたデジタル信号がＭＰＥＧ２方式等で符号化されている場合に、音声情報を含むデジタル信号と、画像情報を含むデジタル信号とに分離する。このうち音声情報を含むデジタル信号はＤ／Ａ変換部１８に送られてアナログ信号に変換され、音声信号出力部１９によりスピーカ２０から出力される。なおこの際、音声信号出力部１９は制御部１１から受けた指示に基づいて出力音量の調整をおこなう。
【００３３】
また、信号分離部１７により分離された画像情報を含むデジタル信号は、画像再生部２１により復号化が行われ、さらにＮＴＳＣ方式の画像信号に変換される。変換により得られた画像信号は画像信号出力部２２によりディスプレイ２３に表示される。なおこの際、画像信号出力部２２は制御部１１から受けた指示に基づいて出力画像の画質や輝度の調整を行う。
【００３４】
〈１−２．機能部の構成について〉
【００３５】
ここで、本発明の第一の実施形態に係るテレビジョン装置１が備える音量調整機能を構成する各機能部の関係を、図１の機能ブロック図を用いながら説明する。
【００３６】
図１に示すように本発明の音量調整機能は少なくとも、制御部１１が備える画像検知部１１ａ（＝画像検知手段）、音量判定部１１ｂ（＝音量判定手段）、音量設定部１１ｃ（＝音量設定手段の一部）、及び画像指定部１１ｄ（＝画像指定手段）と、メモリ１２と、操作部１３と、音声信号出力部１９と、画像再生部２１とにより構成される。
【００３７】
画像検知部１１ａは、画像再生部２１により得られた画像が、外部記録再生装置において光ディスク排出時に出力される画像（以下、「排出時画像」と言う）と一致するかどうかを判定する。排出時画像としては例えば、光ディスクドライブ開閉時に表示されるメーカーロゴや、或いはブルーバック画像等の単一色画像である。また或いは、後述する画像指定部１１ｄにより予めメモリ１２に排出時画像が記録されている場合、それを読み出して用いる。これらの画像に一致する画像を検知した場合、画像検知部１１ａは次の音量判定部１１ｂに対して、音量判定処理の実施を指示する。
【００３８】
音量判定部１１ｂは、上記指示を与えられた際に、音声信号出力部１９がスピーカ２０を用いて音声を出力する際の出力音量の設定値を確認する。そして設定値が所定の値（＝閾値）を越えるかどうかを判定する。判定の結果、閾値を超えると判定された場合、次の音量設定部に対して音量設定処理の実施を指示する。
【００３９】
音量設定部１１ｃは、上記指示を与えられた際に、音声信号出力部１９に対して出力音量の設定値を所定値、例えば最大値と最小値との中間値等に設定する。ただしこの所定値は、前記の閾値を超えない範囲である必要がある。
【００４０】
画像指定部１１ｄは、操作部１３により受け付けたユーザ操作により指定された画像を、光ディスク排出時に出力される排出時画像としてメモリ１２に記録する。なお、排出時画像の指定は例えば、ユーザが排出時画像に指定したい画像がディスプレイ２３に表示されている状態において、操作部１３に含まれる排出時画像指定ボタンが押下されることにより行われる。排出時画像指定ボタンの押下を検知した画像指定部１１ｄは、押下検知時に画像再生部２１が出力していた画像を取得し、排出時画像としてメモリ１２に記録する。
【００４１】
〈１−３．音量調整処理について〉
ここで、本発明の第一の実施形態に係るテレビジョン装置１による音量調整処理を、図１及び図２のブロック図と、図３のフロー図とを用いながら説明する。
【００４２】
図３は、本発明の第一の実施形態に係る音量調整処理の処理フローを示したフローチャートである。図３に示す本処理は、テレビジョン装置１の電源投入を制御部１１が検知することにより開始される。なお電源投入指示は、例えば操作部１３に含まれる電源起動ボタンが押下された場合等に発行される。
【００４３】
本処理が開始された後、制御部１１はステップＳ１１０において、外部入力部１５により画像信号の入力が行われているかどうかの判定を行う。なお、外部入力部１５より入力される画像信号としては、例えばＤＶＤプレーヤ（不図示）が出力を行った光ディスク再生画像信号等が入力される。画像信号の入力が検知されなかった場合、制御部１１は再びステップＳ１１０に移行し、入力状態の監視を行う。
【００４４】
外部入力部１５による画像信号の入力が検知された場合、画像検知部１１ａはステップＳ１２０において、画像再生部２１により得られた画像がＤＶＤプレーヤ等において光ディスク排出時に出力されるメーカーロゴ画像と一致するかどうかの判定を行う。なお、このメーカーロゴ画像は、工場出荷時等に予めテレビジョン装置１のメモリ１２等に記録されている。
【００４５】
メーカーロゴ画像と一致すると判定された場合、後述するステップＳ１５０に移行する。逆にメーカーロゴ画像と一致しないと判定された場合、画像検知部１１ａはステップＳ１３０において、画像再生部２１により得られた画像がＤＶＤプレーヤ等において光ディスク排出後に出力される単一色画像と一致するかどうかの判定を行う。
【００４６】
単一色画像と一致すると判定された場合、後述するステップＳ１５０に移行する。逆に単一色画像と一致しないと判定された場合、画像検知部１１ａはステップＳ１４０において、画像指定部１１ｄにより予めユーザ指定されている排出時画像をメモリ１２より読み出す。そして画像再生部２１により得られた画像が、メモリ１２に記録されているユーザ指定の排出時画像と一致するかどうかの判定を行う。
【００４７】
ユーザ指定の排出時画像と一致すると判定された場合、後述するステップＳ１５０に移行する。逆にユーザ指定の排出時画像と一致しないと判定された場合、再びステップＳ１１０に移行し、外部入力部１５による画像の入力状態の監視を行う。
【００４８】
次に音量判定部１１ｂはステップＳ１５０において、音量設定部１１ｃにより設定されている音声信号出力部１９の出力音量の設定値を確認する。そして設定値が、予め定められた所定値（＝閾値）を越えるかどうかの判定を行う。具体的には例えば、音声信号出力部１９の出力音量がボリューム０〜ボリューム１９の２０段階に設定可能であったとする。そして閾値があらかじめボリューム１５に設定されていた場合、ボリューム１６〜ボリューム１９において、閾値を超えると判定される。
【００４９】
ステップＳ１５０において、設定値が閾値を超えないと判定された場合、再びステップＳ１１０に移行する。逆に閾値を超えると判定された場合、音量設定部１１ｃはステップＳ１６０において、音声信号出力部１９の出力音量を所定値に設定する。例えば、全ボリュームの中でも中間のボリューム９或いはボリューム１０等に設定する。その後再びステップＳ１１０に移行し、本処理を継続して行う。
【００５０】
なお本処理は通常、テレビジョン装置１の電源停止時に終了される。ただし、処理中断指示を受け付ける指示受付部を設けることにより、任意のタイミングで本処理を中断可能とする形態であってもよい。
【００５１】
［実施の形態２］
〈２−１．内部構成について〉
ここで、本発明の第二の実施形態に係るテレビジョン装置１の内部構成について、図５のブロック図を用いながら説明する。なお、実施の形態１と同内容の構成要素については、同じ符号番号を付加することにより説明を省略するものとする。
【００５２】
制御部１１〜ディスプレイ２３については、実施の形態１と同内容であるため説明を省略する。光ディスクドライブ２４（＝光ディスク再生手段）は、ＣＤメディア、或いはＤＶＤメディア等の光ディスクから光学的に情報の読み込みを行う。読み込まれたデータは、信号分離部１８に送られて音声情報及び画像情報に分離された後、再生処理が行われる。なお、光ディスクには複数の規格が存在するため、光ディスクドライブ２４が対応する規格に応じた光ディスクを使用しなければ、各種処理（音楽再生等）を行うことができない。
【００５３】
〈２−２．機能部の構成について〉
ここで、本発明の第二の実施形態に係るテレビジョン装置１が備える音量調整機能を構成する各機能部の関係を、図４の機能ブロック図を用いながら説明する。なお、実施の形態１と同内容の構成要素については、同じ符号番号を付加することにより説明を省略するものとする。
【００５４】
図４に示すように本実施形態の音量調整機能は少なくとも、制御部１１が備える音量判定部１１ｂ、音量設定部１１ｃ、及び光ディスク検知部１１ｅ（＝光ディスク検知手段）と、音声信号出力部１９と、光ディスクドライブ２４とにより構成される。
【００５５】
光ディスク検知部１１ｅは、光ディスクドライブ２４に装着されている光ディスクが排出された際に排出を検知する。そして光ディスクが排出されたことを知らせる通知を音量判定部１１ｂに与える。この通知を受けた音量判定部１１ｂは、音量設定部１１ｃ及び音声信号出力部１９を用いて、後述する音量調整処理を行う。
【００５６】
なお、光ディスク排出の具体的な検知方法としては、例えば光ディスクドライブ２４が備えるディスクトレイの開閉状態を監視することにより行う。また例えば、スロットインタイプの光ディスクドライブ２４においては、光ディスクの排出指示の発生を監視する形態であってもよい。
【００５７】
〈２−３．音量調整処理について〉
ここで、本発明の第二の実施形態に係るテレビジョン装置１による音量調整処理を、図４及び図５のブロック図と、図６のフロー図とを用いながら説明する。
【００５８】
図６は、本発明の第二の実施形態に係る音量調整処理の処理フローを示したフローチャートである。図６に示す本処理は、テレビジョン装置１の電源投入を制御部１１が検知することにより開始される。なお電源投入指示は、例えば操作部１３に含まれる電源起動ボタンが押下された場合等に発行される。
【００５９】
本処理が開始された後、光ディスク検知部１１ｅはステップＳ２１０において、光ディスクドライブ２４に設置される光ディスクの排出を検知したかどうかの判定を行う。光ディスクの排出が検知されなかった場合、光ディスク検知部１１ｅは再びステップＳ２１０に移行し、光ディスク排出の検知を継続して行う。
【００６０】
ステップＳ２１０において光ディスク排出が検知された場合、光ディスク検知部１１ｅは音量判定部１１ｂに対して光ディスク排出検知の通知を行う。通知を受けた音量判定部１１ｂは、音量設定部１１ｃにより設定されている音声信号出力部１９の出力音量の設定値を確認する。
【００６１】
そしてステップＳ２２０において、出力音量の設定値が、予め定められた所定値（＝閾値）を越えるかどうかの判定を行う。設定値が閾値を超えないと判定された場合、再びステップＳ２１０に移行する。逆に閾値を超えると判定された場合、音量設定部１１ｃはステップＳ２３０において、音声信号出力部１９の出力音量を所定値に設定する。例えば、全ボリュームの中でも中間に近いボリューム９或いはボリューム１０等に設定する。その後再びステップＳ２１０に移行し、本処理を継続して行う。
【００６２】
なお本処理は通常、テレビジョン装置１の電源停止時に終了される。ただし、処理中断指示を受け付ける指示受付部を設けることにより、任意のタイミングで本処理を中断可能とする形態であってもよい。
【００６３】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００６４】
従って本発明は、以下の形態にも適用可能である。
（Ａ）本実施形態では、外部接続された再生装置の光ディスク排出時画像としてメーカーロゴ及び単一色画像を例にあげているが、これら以外の画像を光ディスク排出時画像として用いる形態であってもよい。なおこの場合、予めテレビジョン装置１の工場出荷前に、いかなる画像を光ディスク排出時画像とするかを再生装置の生産者との間で一致させておく。
【００６５】
（Ｂ）本実施形態では、テレビジョン装置１に外部接続される再生装置としてＤＶＤプレーヤを例にあげているが、これ以外の再生装置を用いて本発明を実施する形態でもよい。例えば、ＢＤプレーヤ、ＶＣＲ（Video Cassette Recorder）、ハードディスクレコーダ等を用いる形態であってもよい。
【００６６】
（Ｃ）本実施形態では、音量調整処理に関わる各種機能部が、マイクロプロセッサ等の演算処理装置上でプログラムを実行することにより実現されているが、各種機能部が複数の回路により実現される形態でもよい。
【００６７】
（Ｄ）本実施形態では、制御部１１及び音量調整の為の各機能部がテレビジョン装置１の内部に備わっている構成を例として説明したが、これらの一部或いは全部がネットワークを介して接続された外部装置により実現される形態であってもよい。例えば、画像検知部１１ａがネットワーク上に存在する情報処理装置（例えばパソコン等）に実装されており、この情報処理装置で読み取られた画像、或いは指定された画像を光ディスクの排出時画像としてメモリ１２に記録する形態であってもよい。
【００６８】
（Ｅ）本実施形態では、光ディスク排出時画像の検知により、外部再生装置における光ディスクの変更を検知しているが、これ以外の方法を用いて光ディスク排出の検知を行う形態であっても良い。例えば、テレビジョン装置１が備えるＩＥＥＥ１３９４端子により接続された外部再生装置と通信を行うことにより、外部再生装置の状態をテレビジョン装置１側から監視し、光ディスク排出の検知を行う形態であってもよい。
【００６９】
（Ｆ）本実施形態では、光ディスク排出時に音量調整処理を行っているが、光ディスクの交換時に発生する処理であれば、排出以外の処理検知時に音量調整処理を行う形態であってもよい。例えば光ディスクの挿入検知時や、複数の光ディスクドライブが存在する場合における再生対象ドライブの変更発生時に音量調整処理を行う形態でもよい。
【図面の簡単な説明】
【００７０】
【図１】は、本発明の第一の実施形態に係るテレビジョン装置が備える機能部の構成を示す機能ブロック図である。
【図２】は、本発明の第一の実施形態に係るテレビジョン装置を示す構成図である。
【図３】は、本発明の第一の実施形態に係る音量調整処理の処理フローを示したフロー図である。
【図４】は、本発明の第二の実施形態に係るテレビジョン装置が備える機能部の構成を示す機能ブロック図である。
【図５】は、本発明の第二の実施形態に係るテレビジョン装置を示す構成図である。
【図６】は、本発明の第二の実施形態に係る音量調整処理の処理フローを示したフロー図である。
【符号の説明】
【００７１】
１      テレビジョン装置
１１    制御部
１１ａ  画像検知部（画像検知手段）
１１ｂ  音量判定部（音量判定手段）
１１ｃ  音量設定部（音量設定手段）
１１ｄ  画像指定部（画像指定手段）
１１ｅ  光ディスク検知部（光ディスク検知手段）
１５    外部入力部（入力手段）
１９    音声信号出力部（音量設定手段）
２４    光ディスクドライブ（光ディスク再生手段）
【図１】
2008294906.tif 000003
【図２】
2008294906.tif 000004
【図３】
2008294906.tif 000005
【図４】
2008294906.tif 000006
【図５】
2008294906.tif 000007
【図６】
2008294906.tif 000008